(57)【要約】  【課題】引出し装置を備えた冷蔵庫に関し、ガタツキの少ない高品位かつ荷重を加えても操作力の小さい使い勝手の良い引出しを有する冷蔵庫を提供することを目的とする。  【解決手段】固定レール３１ａと移動レール３１ｂとベアリング３１ｄとを予め組み込んだ状態のレール部材３１を異なる温度帯の上下の貯蔵室にそれぞれ適用したものにおいて、レール部材３１を補強する補強部材３３ｂを内箱２０の同一側面に複数備え、同一側面の補強部材３３ｂを連結する補強連結部材３３ｅを設けたので、ガタの少ない高品位な引出しを構成することができるとともに、レール部材の取付強度を高めることができ、高品位で使い勝手の良い信頼性の高い引出し扉を備えた冷蔵庫を提供できる。【選択図】図１
2006010165.tif 000002
【特許請求の範囲】
【請求項１】
内箱と、外箱と、前記内箱と外箱間に充填した発泡断熱材とよりなる前面開口部を有する断熱箱体を備えた冷蔵庫において、内部に備えた容器を前後に移動可能とするレール部材を左右に設け、前記レール部材は固定レールと移動レールとを有し、前記固定レールと移動レールはそれぞれ回転支持部材で支持され前記固定レールと移動レールを予め組み込んだ状態でレール部材を断熱箱体に固定し、その後、容器を前記レール部材に支持するとともにレール部材を補強する補強部材を前記内箱の同一側面に複数備え、同一側面の補強部材を連結する補強連結部材を備えたことを特徴とする冷蔵庫。
【請求項２】
断熱箱体を上部貯蔵室と下部貯蔵室に区画し、上部貯蔵室と下部貯蔵室にそれぞれレール部材を備え、それぞれのレール部材の固定レールを複数の補強部材で一体に固定したことを特徴とする請求項１に記載の冷蔵庫。
【請求項３】
上下の固定レールを連結する補強部材と補強連結部材を貯蔵室内に露出させないことを特徴とする請求項２に記載の冷蔵庫。
【請求項４】
上下の固定レールを連結する補強部材と補強連結部材を断熱箱体の発泡断熱材内に埋設することを特徴とする請求項２に記載の冷蔵庫。
【請求項５】
同一側面の複数の補強部材を連結する補強連結部材を複数個有することを特徴とする請求項１から４のいずれか一項に記載の冷蔵庫。
【請求項６】
補強連結部材は線膨張率が１．０〜３．０×１０−６ｃｍ／ｃｍ・℃としたことを特徴とする請求項１から５のいずれか一項に記載の冷蔵庫。
【請求項７】
補強連結部材は熱伝導率が０．１〜０．２Ｗ／ｍ・Ｋとしたことを特徴とする請求項１から６のいずれか一項に記載の冷蔵庫。
【発明の詳細な説明】
【技術分野】
【０００１】
本発明は、引出し装置を備えた冷蔵庫に関し、特に引出しレール取付けの構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図６は、従来の冷蔵庫の引出し式扉の斜視図である。図７は従来の冷蔵庫の引出し装置の要部断面図である。図８は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラー３と、内箱側壁４に固定，取付けられた前記フレーム２と可動ローラー３を摺動支持する固定レール５と固定ローラー６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラー３を、冷蔵庫本体側にあらかじめ取り付けた固定レール５の溝部１２に挿入し、フレーム２の底面と固定ローラー６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラー３が、固定レール５と固定ローラー６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付ばらつき、組立性を考慮して、組み込み状態でレールとローラー間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても操作力の小さい使い勝手の良い引出しを有する冷蔵庫を提供することを目的とする。
【課題を解決するための手段】
【０００９】
上記従来の課題を解決するために、本発明の冷蔵庫は、固定レールと移動レールとをあらかじめ組み込んだ状態のレール部材を補強部材に固定するものにおいて、レール部材を補強する補強部材を前記内箱の同一側面に複数備え、同一側面の補強部材を連結する補強連結部材を備えたものである。
【００１０】
これによって固定レールと移動レールとのクリアランスを小さくすることができ、ガタの少ない高品位な引出しを構成することができるとともに、レール部材の取付強度を高めることができる。
【発明の効果】
【００１１】
本発明の冷蔵庫は、ガタが小さく、容器に荷重を加えた場合でも滑らかに引出しを開閉することができ、高品位で使い勝手の良い信頼性の高い引出し扉を備えた冷蔵庫を提供できる。
【発明を実施するための最良の形態】
【００１２】
請求項１に記載の発明は、内箱と、外箱と、前記内箱と外箱間に充填した発泡断熱材とよりなる前面開口部を有する断熱箱体を備えた冷蔵庫において、内部に備えた容器を前後に移動可能とするレール部材を左右に設け、前記レール部材は固定レールと移動レールとを有し、前記固定レールと移動レールはそれぞれ回転支持部材で支持され前記固定レールと移動レールを予め組み込んだ状態でレール部材を断熱箱体に固定し、その後、容器を前記レール部材に支持するとともにレール部材を補強する補強部材を前記内箱の同一側面に複数備え、同一側面の補強部材を連結する補強連結部材を備えたものであり、固定レールと移動レールとをあらかじめ組み込んだ状態のレール部材を断熱箱体に固定することにより固定レールと移動レールとのクリアランスを小さくすることができ、ガタの少ない高品位な引出しを構成することができる。また、補強部材の固定を確実に行ないレール部材の取付強度を高めることでレール部材の操作性の確保、組立信頼性の確保を図ることができる。
【００１３】
請求項２に記載の発明は、請求項１に記載の発明において、断熱箱体を上部貯蔵室と下部貯蔵室に区画し、上部貯蔵室と下部貯蔵室にそれぞれレール部材を備え、それぞれのレール部材の固定レールを複数の補強部材で一体に固定したものであり、複数の貯蔵室にレール部材を備える場合のレール部材の操作性の確保、組立信頼性の確保を図ることができる。
【００１４】
請求項３に記載の発明は、請求項２に記載の発明において、上下の固定レールを連結する補強部材と補強連結部材を貯蔵室内に露出させないようにしたものであり、補強部材を貯蔵室内部に配置した場合に比べ収納内容積の低減を抑制することができる。
【００１５】
請求項４に記載の発明は、請求項２に記載の発明において、上下の固定レールを連結する補強部材と補強連結部材を断熱箱体の発泡断熱材内に埋設したものであり、発泡断熱材内に埋設することにより、冷蔵庫使用時に補強部材と補強連結部材の結露，着霜の防止を図ることができ、更に空気と接することが無いので補強部材と補強連結部材の耐食性を向上させることができる。
【００１６】
請求項５に記載の発明は、請求項１から４のいずれか一項に記載の発明において、同一側面の複数の補強部材を連結する補強連結部材を複数個有するものであり、補強部材の固定をさらに確実に行ないレール部材の位置規制の精度を上げることでレール部材のいっそうの操作性の確保、組立信頼性の確保を図ることができる。
【００１７】
請求項６に記載の発明は、請求項１から５のいずれか一項に記載の発明において、補強連結部材は線膨張率が１．０〜３．０×１０−６ｃｍ／ｃｍ・℃としたものであり、補強連結部材を線膨張率が小さい材料で形成することにより、冷蔵庫の冷却運転時に補強連結部材が収縮することによる操作性への影響を低減できるのでレール部材の操作信頼性を向上することができる。
【００１８】
請求項７に記載の発明は、請求項１から６のいずれか一項に記載の発明において、補強連結部材は熱伝導率が０．１〜０．２Ｗ／ｍ・Ｋとしたものであり、補強連結部材を熱伝導率が小さい材料で形成することにより、特に複数の貯蔵室の温度帯が異なる場合に補強連結部材からの熱伝達を抑制し、温度帯の高い貯蔵室側の結露の防止や熱リークによる消費電力の増加を抑制できる。
【００１９】
以下、本発明の実施の形態について、図面を参照しながら説明する。なお、この実施の形態によってこの発明が限定されるものではない。
【００２０】
（実施の形態１）
図１は本発明の実施の形態１における冷蔵庫の横断面図、図２は図１のＡ−Ａ断面図、図３は同実施の形態の冷蔵庫の概略組立図、図４は、同実施の形態の冷蔵庫のレール部材の分解組立図、図５は、同実施の形態の冷蔵庫のレール部材の断面図である。
【００２１】
図１から図５において、冷蔵庫１８の断熱箱体１９は内箱２０と外箱２１との間に発泡断熱材２２を充填したものであり、前面開口部１９ａを有し、仕切壁２３、２３ａ、２６により、上部より冷蔵室２４、切替室２５、野菜室２６、冷凍室２７を形成している。
【００２２】
また、仕切壁２６の上部に配置する野菜室２７は冷却温度が５℃程度、下部に配置する冷凍室２８は冷却温度が−２０℃程度というように仕切壁２６を介して上下に異なる温度帯に設定されている。
【００２３】
野菜室２７と冷凍室２８とはそれぞれ前面開口部２２ａを野菜室ドア２９と冷凍室ドア３０にて閉塞され、更に野菜室２７と野菜室ドア２９および冷凍室２８と冷凍室ドア３０とはそれぞれレール部材３１にて連結されることにより前後方向に引出し摺動可能となっている。
【００２４】
レール部材３１は固定レール３１ａと、移動レール３１ｂと、固定レール３１ａおよび移動レール３１ｂとの係合を支持する回転支持部材である複数のベアリング３１ｄとからなり、固定レール３１ａと移動レール３１ｂとベアリング３１ｄとを予め組み込んだ状態で固定レール３１ａを内箱２０の両側壁面に固定し、移動レール３１ｂをそれぞれの貯蔵室ドアに固定することでそれぞれの貯蔵室と貯蔵室ドアとを連結している。
【００２５】
なお、固定レール３１ａと移動レール３１ｂと、固定レール３１ａと移動レール３１ｂとの間にベアリング３１ｄを配設したレール部材３１は予め組み込んだものであり、それぞれのレール間のクリアランスを最小限に設定することができる。
【００２６】
更に内箱２０の両側壁面に固定された左右のレール部材３１は左右対称の形状を有し、左右共に備えることでより良い摺動性を発揮する。
【００２７】
各貯蔵室の容器３２はレール部材３１を内箱２０に固定後にレール部材３１の移動レール３１ｂに支持し、各貯蔵室ドアを前後方向に引出すのと同期して移動レール３１ｂと共に前後に移動し、更に各貯蔵室ドアを少なくとも全開した時に容器３２は上方向に着脱自在となっている。
【００２８】
また、左右一対のレール部材３１の固定レール３１ａは同一側面において前後に配した複数の位置規制手段である補強部材３３ｂによってそれぞれ内箱２０を介して固定位置を規制される。そして、前後に配した複数の補強部材３３ｂを連結する補強連結部材３３ｅを設けている。
【００２９】
なお、補強部材３３ｂは、仕切壁２６を介して上下に異なる温度帯に設定されている野菜室２６と冷凍室２７の同一側面に対して一体に形成し、前後に配した複数の補強部材３３ｂを複数の補強連結部材３３ｅで連結固定してもよい。
【００３０】
また、補強連結部材３３ｅは、複数設けても良く、その配置は、互いに平行あるいは、交差いわゆる襷がけ状態といったものがある。
【００３１】
補強部材３３ｂは、内箱２０の発泡断熱材２２を充填した側に配置されるので補強部材３３ｂ及び、補強連結部材３３ｅは各貯蔵室内に露出しない構造となっている。
【００３２】
また、補強部材３３ｂの両端はそれぞれ野菜室２７と冷凍室２８との上下方向の中心部付近まで達し、各貯蔵室内のレール部材３１の固定レール３１ａは補強部材３３ｂの固定部３３ｃに固定され、少なくとも補強部材３３ｂの固定部３３ｃ及び、補強連結部材３３ｅは内箱２０の発泡断熱材２２を充填した側の面に接している。
【００３３】
また、補強連結部材３３ｅは線膨張率が１．０〜３．０×１０−６ｃｍ／ｃｍ・℃である材料にて形成されることが望ましい。また、熱伝導率が０．１〜０．２Ｗ／ｍ・Ｋである材料にて形成されることが望ましい。
【００３４】
また、ベアリング３１ｄは回転支持部材であればよく、たとえばローラー等を用いてもよい。
【００３５】
以上のように構成された冷蔵庫について、以下その動作、作用を説明する。
【００３６】
まず、各貯蔵室ドアを手前に引出すと各貯蔵室の両側部に備えられたレール部材３１の移動レール３１ｂと中間走行レール３１ｃとが回転支持部材３１ｄが回転することにより滑らかに手前側に摺動する。
【００３７】
それに伴い、レール部材３１に支持された容器３２も手前に引出され、容器３２内に収納された被冷却物の取出し及び新たな被冷却物の収納が可能となる。
【００３８】
以上のように本実施の形態においては固定レール３１ａと移動レール３１ｂとをあらかじめ組み込んだ状態のレール部材３１を内箱２０の両側壁面に固定することにより固定レール３１ａと移動レール３１ｂとのクリアランスを小さくすることができ、ガタの少ない高品位な引出しを構成することができる。また、固定レール３１ａと移動レール３１ｂとの間を回転支持部材であるベアリング３１ｄで支持することにより容器３２に荷重を加えた場合でも滑らかに移動レール３１ｂが移動できるので引出しの操作力を低減することができ、使い勝手の向上を図ることができる。
【００３９】
また、補強部材３３ｂによりレール部材３１の固定レール３１ａの取付位置を規制することでレール部材３１の前後、左右、上下寸法あるいは平行度が規定どおりに保持できることと、補強部材３３ｂにより断熱箱体１９の発泡断熱材２２充填後の冷却時の熱収縮等による寸法変化を抑制することで、固定レール３１ａと移動レール３１ｂとのクリアランスを小さく設定したレール部材３１をあらかじめ組み込んだ状態で内箱２０の両側壁面に固定する仕様としても左右一対のレール部材３１間の寸法精度を高く保てるので容器３２の引出し時の操作性を位置規制手段である補強部材３３ｂにより高めることができる。また、長期にわたって操作信頼性の確保も図ることができる。
【００４０】
また、補強部材３３ｂは、仕切壁２６を介して上下に異なる温度帯に設定されている野菜室２６と冷凍室２７の同一側面に対して一体に形成し、前後に配した複数の補強部材３３ｂを補強連結部材３３ｅで連結固定しているので、貯蔵室間の前後、上、左右のレール部材３１の位置規制ができ操作性、品位、組立信頼性の向上を図ることができる。さらに、一体にすることで部品点数の削減によるコストダウンを図ることができる。また、前後に配した複数の補強部材３３ｂを連結する補強連結部材３３ｅを設けたことにより、前後に配した複数の補強部材３３ｂ同士が連結され、補強部材３３ｂの固定が安定したものとなり、レール部材３１の位置規制がさらに確実なものになる。なお、補強連結部材３３ｅは、複数設けることにより確実性は増す。
【００４１】
また、補強部材３３ｂ及び、補強連結部材３３ｅを各貯蔵室内に露出させないようにしたので補強部材３３ｂ及び、補強連結部材３３ｅを各貯蔵室内部に配置した場合に比べ収納内容積の低減を抑制することができる。
【００４２】
また、上下の固定レール３１ａを連結する補強部材３３ｂ及び、補強部材３３ｂを連結する補強連結部材３３ｅを断熱箱体１９の発泡断熱材２２内に埋設したので、冷蔵庫１８の使用時に補強部材３３ｂ及び、補強連結部材３３ｅの結露，着霜の防止を図ることができ、更に補強部材３３ｂ及び、補強連結部材３３ｅが空気と接することが無いので補強部材３３ｂ及び、補強連結部材３３ｅの耐食性を向上させることができる。
【００４３】
また、前後に配した複数の補強部材３３ｂを複数の補強連結部材３３ｅで連結固定しているので、補強部材の固定をさらに確実に行ないレール部材の位置規制の精度を上げることでレール部材のいっそうの操作性の確保、組立信頼性の確保を図ることができる。
【００４４】
また、補強連結部材３３ｅの線膨張率を１．０〜３．０×１０−６ｃｍ／ｃｍ・℃とした線膨張率が小さい材料で形成することにより、冷蔵庫１８の運転時に連結補強部材３３ｅが収縮することによる操作性への影響を低減できるのでレール部材３１の操作信頼性を向上することができる。
【００４５】
また、補強連結部材３３ｅの熱伝導率を０．１〜０．２Ｗ／ｍ・Ｋとしたので熱伝導率が小さい材料で形成することにより、特に複数の貯蔵室の温度帯が異なる場合に補強連結部材３３ｅからの熱伝達を抑制し、温度帯の高い貯蔵室側の結露の防止や熱リークによる消費電力の増加を抑制できる。
【００４６】
なお、本実施の形態ではレール部材３１と容器３２とを野菜２７と冷凍室２８とで共通としたが、実使用の収納形態などによりそれぞれ貯蔵室別に違う材料で形成したものを使用するとさらにコスト低減、信頼性向上を図ることができる。
【００４７】
また、補強連結部材３３ｅは線膨張率が１．０〜３．０×１０−６ｃｍ／ｃｍ・℃、熱伝導率が０．１〜０．２Ｗ／ｍ・Ｋである材料としたが、一般的には線膨張率に関しては金属類が１．０〜３．０×１０−６ｃｍ／ｃｍ・℃で樹脂類は１．０〜１５．０×１０−５ｃｍ／ｃｍ・℃であり、熱伝導率は金属類が１．０〜４００．０Ｗ／ｍ・Ｋで樹脂類は０．１〜０．２Ｗ／ｍ・Ｋである。
【００４８】
従って、補強連結部材３３ｅの材料としては冷蔵庫１８の運転時にレール部材３１の取付け位置精度が要求される場合には線膨張率の小さい金属類を使用し、温度帯の高い貯蔵室側の結露の防止や熱リークによる消費電力の増加の抑制が要求される場合には熱伝導率の小さい樹脂類を使用することがのぞましい。また、複数の貯蔵室に対して両者を一体化して用いてもよい。
【００４９】
なお、本実施の形態では、野菜室２７と冷凍室２８にレール部材３１を用いたもので説明したが、引出し容器を備えた貯蔵室に適宜適用できる。たとえば、野菜室２６の上部に位置する切替室２５や、切替室２５の横に併設した製氷室（図示せず）等に用いてもよい。
【産業上の利用可能性】
【００５０】
以上のように、本発明にかかる冷蔵庫は、ガタが小さく、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００５１】
【図１】本発明の実施の形態１における冷蔵庫の横断面図
【図２】図１のＡ−Ａ断面図
【図３】同実施の形態の冷蔵庫の概略組立図
【図４】同実施の形態の冷蔵庫のレール部材の分解組立図
【図５】同実施の形態の冷蔵庫のレール部材の断面図
【図６】従来の冷蔵庫の引出し式扉の斜視図
【図７】従来の冷蔵庫の引出し装置の要部断面図
【図８】従来の冷蔵庫の引出し装置の断面図
【符号の説明】
【００５２】
１８  冷蔵庫
１９  断熱箱体
１９ａ  前面開口部
２０  内箱
２１  外箱
２２  発泡断熱材
２６  仕切壁
２７  野菜室
２８  冷凍室
３１  レール部材
３１ａ  固定レール
３１ｂ  移動レール
３１ｄ  ベアリング
３２  容器
３３ｂ  補強部材
３３ｅ  補強連結部材
【図１】
2006010165.tif 000003
【図２】
2006010165.tif 000004
【図３】
2006010165.tif 000005
【図４】
2006010165.tif 000006
【図５】
2006010165.tif 000007
【図６】
2006010165.tif 000008
【図７】
2006010165.tif 000009
【図８】
2006010165.tif 000010